(57)【要約】【課題】熟練施工者による施工でなくても、止水性を確保しながら、屋根用のサンドイッチパネル同士を、長さ方向および幅方向に接続することができる屋根用パネルの接続構造を提供する。【解決手段】本発明は、複数のサンドイッチパネル１が長さ方向と幅方向とに接続された屋根用パネルの接続構造である。サンドイッチパネル１の長さ方向の接続部分２７が、幅方向に隣接する他のサンドイッチパネル１の長さ方向の接続部分３７に対して、長さ方向にずれた位置に配置されている【選択図】図１
2014201996.tif 000002
【特許請求の範囲】
【請求項１】
複数のサンドイッチパネルが長さ方向と幅方向とに接続された屋根用パネルの接続構造であって、
サンドイッチパネルの長さ方向の接続部分が、幅方向に隣接する他のサンドイッチパネルの長さ方向の接続部分に対して、長さ方向にずれた位置に配置されている
ことを特徴とする屋根用パネルの接続構造。
【請求項２】
前記サンドイッチパネルの幅方向の接続部分は、
前記サンドイッチパネルの幅方向の一方の端部に設けられた被覆い部と、
幅方向に隣接する他のサンドイッチパネルの端部に設けられると共に前記被覆い部に重ねて接続される覆い片と
により構成されており、
前記サンドイッチパネルの長さ方向の接続部分は、
前記サンドイッチパネルの長さ方向の一方の端部に設けられた接続部と、
長さ方向に隣接する他のサンドイッチパネルに設けられ、当該端部の裏面部が切除されると共にその表面板が前記接続部に重ねて接続される重ね接続部と
により構成されており、
前記複数のサンドイッチパネルが長さ方向と幅方向とに接続され、幅方向に隣接するサンドイッチパネルの前記重ね接続部同士が重ならないように構成されている
ことを特徴とする請求項１記載の屋根用パネルの接続構造。
【発明の詳細な説明】
【技術分野】
【０００１】
本発明は、屋根用パネルの接続構造に関し、特に屋根材として用いられるサンドイッチパネルの接続構造に関する。
【背景技術】
【０００２】
特許文献１には、従来の屋根用パネルの接続構造が開示されている。この特許文献１記載の屋根用パネルは、表側の金属外皮と裏側の金属外皮との間に芯材が充填されたサンドイッチパネルである。このサンドイッチパネルは、軒棟方向に直角な方向のうちの一方の端部に被覆片が設けられている。軒棟方向に直角な方向に隣接するサンドイッチパネル同士は、一方のサンドイッチパネルの端部に、他方のサンドイッチパネルの被覆片を重ねた状態で接続されている。
【０００３】
また、このサンドイッチパネルは、軒棟方向にも並設される。棟側のサンドイッチパネルの軒側の端部には重ね接続部が設けられている。この重ね接続部は、裏側の金属外皮および芯材が切除されて形成されている。重ね接続部は、軒側に隣接するサンドイッチパネルの棟側の端部に重ねて接続される。
【先行技術文献】
【特許文献】
【０００４】
【特許文献１】特開２００７−４００２７号公報
【発明の概要】
【発明が解決しようとする課題】
【０００５】
このように、この種の屋根は、図８（ａ）に示すように、複数のサンドイッチパネル１が、軒棟方向Ｄ１と、この軒棟方向Ｄ１に直角な方向Ｄ２とに接続されることで構成される。しかしながら、この屋根構造では、軒棟方向Ｄ１に接続された接続部分９１が、軒棟方向Ｄ１とは直角な方向Ｄ２に隣接するサンドイッチパネル１の軒棟方向Ｄ１の接続部分９２のすぐ隣に隣接配置される。
【０００６】
このため、図８（ｂ）に示すように、表面側の金属外皮が同じ部分で４枚重ね合わせられることになる（第一列の下方側の金属外皮９２・第二列の下方側の金属外皮９３・第一列の上方側の金属外皮９４・第二列の上方側の金属外皮９５が４枚重なる）。
【０００７】
しかしながら、金属外皮が多数重ねられると、この重なり部分で隙間が生じやすいため、止水性を確保するためには熟練した施工者による施工が必要であるという問題がある。
【０００８】
本発明は、上記事情に鑑みてなされたものであり、その目的とするところは、熟練施工者による施工でなくても、止水性を確保しながら、屋根用のサンドイッチパネル同士を、長さ方向および幅方向に接続することができる屋根用パネルの接続構造を提供することにある。
【課題を解決するための手段】
【０００９】
本発明の屋根用パネルの接続構造は、複数のサンドイッチパネルが長さ方向と幅方向とに接続された屋根用パネルの接続構造であって、サンドイッチパネルの長さ方向の接続部分が、幅方向に隣接する他のサンドイッチパネルの長さ方向の接続部分に対して、長さ方向にずれた位置に配置されていることを特徴とする。
【００１０】
またこの屋根用パネルの接続構造において、前記サンドイッチパネルの幅方向の接続部分は、前記サンドイッチパネルの幅方向の一方の端部に設けられた被覆い部と、幅方向に隣接する他のサンドイッチパネルの端部に設けられると共に前記被覆い部に重ねて接続される覆い片とにより構成されており、前記サンドイッチパネルの長さ方向の接続部分は、前記サンドイッチパネルの長さ方向の一方の端部に設けられた接続部と、長さ方向に隣接する他のサンドイッチパネルに設けられ、当該端部の裏面部が切除されると共にその表面板が前記接続部に重ねて接続される重ね接続部とにより構成されており、前記複数のサンドイッチパネルが長さ方向と幅方向とに接続されても、幅方向に隣接するサンドイッチパネルの前記重ね接続部同士が重ならないようにして成ることが好ましい。
【発明の効果】
【００１１】
本発明の屋根用パネルの接続構造によれば、熟練施工者による施工でなくても、止水性を確保しながら、屋根用のサンドイッチパネル同士を、長さ方向および幅方向に接続することができる。
【図面の簡単な説明】
【００１２】
【図１】本実施形態の屋根用パネルの接続構造を示す一部分解斜視図である。
【図２】本実施形態のサンドイッチパネルの断面図である。
【図３】本実施形態の第一列パネルの分解斜視図である。
【図４】（ａ）は、本実施形態のサンドイッチパネルの長さ方向における接続部分の要部側断面図であり、（ｂ）は塞ぎ板材の側面図である。
【図５】（ａ）は、他例の塞ぎ板材を設置した要部側断面図であり、（ｂ）は他例の塞ぎ板材の平面図であり、（ｃ）は他例の塞ぎ板材の側面図である。
【図６】（ａ）は、本実施形態の屋根の平面図であり、（ｂ）は（ａ）におけるＡ−Ａ線断面図であり、（ｃ）は（ａ）におけるＢ−Ｂ線断面図である。
【図７】本実施形態の屋根用パネルの表面板の重なった状態を示す断面図である。
【図８】従来の屋根用パネルの接続構造を示す図であり（ａ）は斜視図であり（ｂ）は断面図である。
【発明を実施するための形態】
【００１３】
以下、本発明の実施形態について添付図面に基づいて説明する。
【００１４】
本実施形態の屋根用パネルの接続構造は、屋根用のサンドイッチパネル１が複数接続された構造である。屋根は複数のサンドイッチパネル１が長さ方向と幅方向とに接続されることで構成されている。
【００１５】
屋根は、屋根勾配を有している。屋根勾配方向は、例えば、軒棟方向に平行な方向である。屋根は、屋根勾配方向に長さを有する第一列パネル２、第二列パネル３、第三列パネル４、・・・を屋根勾配方向とは直角な方向（幅方向に平行な方向）に連結することで形成されている。屋根は、屋根下地８上に配置される。
【００１６】
なお、以下においては、第一列パネル２と第二列パネル３との接続構造は、他のパネル同士の接続構造（例えば、第二列パネル３と第三列パネル４との接続構造）と同じ構造であるため、第一列パネル２と第二列パネル３との接続構造についてのみ説明する。
【００１７】
第一列パネル２は、複数のサンドイッチパネル１を屋根勾配方向に接続することで形成されている。サンドイッチパネル１は、長さと幅とを有している。サンドイッチパネル１の長さ方向は、屋根勾配方向に平行となっている。サンドイッチパネル１の幅方向は、屋根勾配方向に直交している。第一列パネル２は、サンドイッチパネル１同士が、当該サンドイッチパネル１の長さ方向に接続されることで構成されている。
【００１８】
サンドイッチパネル１は、図２に示すように、表面板１１と、裏面板１２と、芯材１３とを備えている。サンドイッチパネル１は、表面板１１と裏面板１２との間に芯材１３を充填することで構成されている。
【００１９】
表面板１１は、金属板により構成されている。表面板１１は、サンドイッチパネル１の上面を構成する。金属板としては、例えば、ステンレス鋼板、亜鉛めっき鋼板、塗装鋼板、ガルバリウム鋼板（登録商標）などが用いられる。表面板１１は、ロール成形等の曲げ加工によって形成されている。
【００２０】
裏面板１２も、表面板１１と同様、金属板により構成されている。裏面板１２は、サンドイッチパネル１の下面を構成する。金属板としては、例えば、ステンレス鋼板、亜鉛めっき鋼板、塗装鋼板、ガルバリウム鋼板（登録商標）などが用いられる。
【００２１】
芯材１３は、表面板１１と裏面板１２との間に充填されている。芯材１３は、断熱材または耐火材により構成される。芯材１３としては、例えば、ロックウールやグラスウールなどの無機繊維板、あるいはフェノールフォームやウレタンフォームやイソシアヌレートフォームなどの樹脂発泡体などが用いられる。
【００２２】
サンドイッチパネル１には、複数の山部１４が設けられている。山部１４は、サンドイッチパネル１の上面から上方に向かって突出している。山部１４は、サンドイッチパネル１の長さ方向の全長に亙って設けられている。サンドイッチパネル１の幅方向に並設される各山部１４は、互いに平行となるように形成されている。
【００２３】
第一列パネル２は、図１，３に示すように、長さ方向に複数の（本実施形態では２つの）サンドイッチパネル１を接続することで形成されている。以下においては、屋根勾配方向の下流側（水下側）のサンドイッチパネル１を第１のパネル２１とし、この第１のパネル２１の屋根勾配方向の上流側（水上側）に隣り合うサンドイッチパネル１を第２のパネル２２として定義する。なお、第一列パネル２として、３つ以上のサンドイッチパネル１を接続した構成であってもよいが、以下の説明においては、第１のパネル２１と第２のパネル２２との接続構造についてのみ説明する。
【００２４】
第一列パネル２は、図３に示すように、第一接続部分２７を介して、第１のパネル２１と第２のパネル２２とが長さ方向に接続されている。第一接続部分２７は、第１のパネル２１の水上側の端部に設けられた接続部５と、第２のパネル２２の水下側の端部に設けられた重ね接続部６とにより構成されている。
【００２５】
接続部５は、重ね接続部６に重ね合わせられる部分である。接続部５は、第１のパネル２１の水上側の端部に設けられており、言い換えると、サンドイッチパネル１の長さ方向の一方の端部に設けられている。接続部５は、第１のパッキン５１と、第２のパッキン５２と、第３のパッキン５３とを備えている。第１のパッキン５１及び第２のパッキン５２及び第３のパッキン５３は、それぞれ、第１のパネル２１の幅方向に連続している。第１のパッキン５１と、第２のパッキン５２と、第３のパッキン５３とは、互いに平行であり、第１のパネル２１の長さ方向にそれぞれ隔設されている。また、第１のパッキン５１と第２のパッキン５２との間には、シーリング材が配設される。第３のパッキン５３と第１のパネル２１の水上側の端縁との間にもシーリング材が配設される。
【００２６】
各パッキン５１，５２，５３は、例えば、ＥＰＤＭや、ブチルゴム等により構成されるが、重ね接続部６との馴染み性や止水性を考慮すると、ブチルゴムが用いられることが好ましい。
【００２７】
重ね接続部６は、第２のパネル２２の水下側の端部に設けられており、言い換えると、第１のパネル２１の長さ方向に隣接する他のサンドイッチパネルの一方の端部に設けられている。重ね接続部６は、第２のパネル２２の裏面部（すなわち、裏面板１２の一部及び芯材１３の一部）が切除され、残された表面板１１の一部により構成される。重ね接続部６は、第１のパネル２１の接続部５に上方から重ねられるようにして接続される。接続部５と重ね接続部６とが接続されると、第１のパネル２１の水上側の端面と、第２のパネル２２の芯材１３の水下側の端面とが当接または近接対向する。
【００２８】
重ね接続部６は、例えば、第２のパネル２２の水下側の端部から水上側に向かう方向の長さが（つまり、表面板の水下側の端縁から芯材の水下側の端縁までの寸法が）４００ｍｍ程度の長さで形成される。なお、本実施形態の重ね接続部６は、裏面板１２の一部および芯材１３の一部が現場施工によって切除されるが、工場出荷時から予め加工されたものであってもよい。
【００２９】
第１のパネル２１と第２のパネル２２との間には、図４に示すように、塞ぎ板材７が配置される。塞ぎ板材７は、第１のパネル２１と第２のパネル２２との接続部分２７の裏面側に配置される。塞ぎ板材７は、サンドイッチパネル１同士の接続部分２７において、断熱性を補強するために設けられている。塞ぎ板材７は、屋根下地８となる母屋８１同士の間に架設される。
【００３０】
なお、母屋８１は、屋根勾配方向とは直角な方向に長さを有している、母屋８１は、屋根勾配方向に複数隔設されている。母屋８１は、例えば、リップ付き溝型鋼や、Ｃ型鋼などにより構成される。
【００３１】
塞ぎ板材７は、屋根勾配方向に長さを有し、屋根勾配方向とは直角な方向に幅を有している。塞ぎ板材７は、第１のパネル２１および第２のパネル２２の幅と同じ幅を有している。塞ぎ板材７は、固定部７１と、塞ぎ部７２とを備えている。固定部７１は、母屋８１とサンドイッチパネル１との間に介装され、これにより第１のパネル２１及び第２のパネル２２に対して固定される。固定部７１は、金属板により形成される。固定部７１は、第２のパネル２２と母屋８１との間に固定される水上側固定部７３と、第１のパネル２１と母屋８１との間に固定される水下側固定部７４とを有している。塞ぎ部７２は、水上側固定部７３と水下側固定部７４との間に設けられている。塞ぎ部７２は、断熱性を有しており、例えば、ウレタンパッキンにより構成される。塞ぎ部７２は、第１のパネル２１の裏面板１２と、第２のパネル２２の裏面板１２との両方に圧接された状態で配置される。
【００３２】
塞ぎ板材７としては、例えば、図５に示すようなものであってもよい。この塞ぎ板材７は、固定部７１と、塞ぎ部７２とを備えている。固定部７１は、第２のパネル２２と母屋８１との間に固定される水上側固定部７３と、第１のパネル２１の芯材１３に固定される水下側固定部７４とを有している。水下側固定部７４は、図５に示すように、複数の爪部を有している。各爪部は、断面逆Ｌ字状に形成されており、その先端が、平面視で先細り形状となっている。水下側固定部７４は、先端が芯材１３に差し込まれて、第１のパネル２１に固定される。塞ぎ部７２は、水下側固定部７４の下端から水下側に向かって延出し、その水下側の先端から水上側に向かって折り返された部分である。この塞ぎ板材７が第１のパネル２１と第２のパネル２２との間に設置されると、塞ぎ部７２は、第１のパネル２１の水上側の端部の裏面板１２に沿って配置される。
【００３３】
第一列パネル２を形成するには、例えば、次のようにして行なう。施工者は、図６（ａ）（ｃ）に示すように、第一接続部分２７に対応する箇所に塞ぎ板材７を配置する。次いで、施工者は、屋根下地８の水下側の端部に第１のパネル２１を配置する。そして、施工者は、第１のパネル２１の水上側に第２のパネル２２を隣接配置する。このとき、第１のパネル２１の水上側の端部の接続部５に、第２のパネル２２の水下側の端部の重ね接続部６を重ねるようにして接続する。その後、施工者は、第２のパネル２２の表面板１１の上方から固着具を打入し、固着具を介して、第１のパネル２１及び第２のパネル２２を屋根下地８に固定する。
【００３４】
第二列パネル３は、図１に示すように、長さ方向に複数のサンドイッチパネル１を接続することで形成されている。以下においては、水下側のサンドイッチパネル１を第３のパネル３１とし、この第３のパネル３１の水上側に隣り合うサンドイッチパネル１を第４のパネル３２として定義する。また、第二列パネル３として、３つ以上のサンドイッチパネル１を接続したものであってもよいが、以下の説明においては、第３のパネル３１と第４のパネル３２との接続構造についてのみ説明する。
【００３５】
第二列パネル３は、第一列パネル２の幅方向の第二列パネル３側の端部に接続される。第二列パネル３は、第二接続部分３７を介して、第３のパネル３１と第４のパネル３２とが長さ方向に接続されている。第二接続部分３７は、第３のパネル３１の水上側の端部に設けられた接続部５と、第４のパネル３２の水下側の端部に設けられた重ね接続部６とにより構成されている。第３のパネル３１の長さは、第１のパネル２１の長さよりも短く形成されている。
【００３６】
なお、第３のパネル３１の接続部５の構造は、第１のパネル２１の接続部５の構造と同じ構造であり、第４のパネル３２の重ね接続部６の構造は、第２のパネル２２の重ね接続部６の構造と同じ構造であるため、説明を省略する。また、第二列パネル３の第二接続部分３７の構造は、第一列パネル２の第一接続部分２７の構造と同じ構造であるため、説明を省略する。
【００３７】
第一列パネル２と第二列パネル３とは、図１に示すように、連結部２３と被連結部３３とを介して接続される。
【００３８】
第一列パネル２の幅方向の第二列パネル３側の端部（第一端部２６）には、連結部２３が設けられている。連結部２３は、図２に示すように、折曲部２８と、当接部２４と、被覆い部２５とを備えている。折曲部２８は、当接部２４から第一列パネル２側に向かって突出している。折曲部２８は、裏面板１２を上方に屈曲した後に反対側に折り返すことで形成されている。
【００３９】
当接部２４は、第二列パネル３の端面（第二端部３８の端面）に当接する。当接部２４は、鉛直面により構成されている。なお、当接部２４と、第二列パネル３の第二端部３８の端面との間には、パッキン２４１が配設される。
【００４０】
被覆い部２５は、山部１４の一部に（頂部に）形成されている。被覆い部２５には、後述の覆い片３６が重ねられて接続される。
【００４１】
第二列パネル３の第二端部３８には、被連結部３３が設けられている。なお、本実施形態のサンドイッチパネル１は、図２に示すように、幅方向の一端（第一端部２６）に連結部２３が設けられ、幅方向の他端（第二端部３８）に被連結部３３が設けられている。つまり、第一列パネル２の被連結部３３の構造と、第二列パネル３の被連結部３３の構造とは同じ構造であるため、第二列パネル２の被連結部３３については、図２を参照して説明する。
【００４２】
被連結部３３は、凹没部３４と、被当接部３５と、覆い片３６が設けられている。凹没部３４の内部には、折曲部２８が配置される。凹没部３４は、裏面板１２が上方に凹曲され、断面横倒しＬ字状となるように形成された部分である。被当接部３５は、第一列パネル２の当接部２４に当接する。
【００４３】
覆い片３６は、被当接部３５から第一列パネル２側に向かって延出している。覆い片３６は、重ね接続部６の幅方向の端部からも第一列パネル２側に向かって延出しており、つまり、サンドイッチパネル１の長さ方向の全長に亙って設けられている。覆い片３６は、表面板１１の第二端部３８側の端縁により構成されている。覆い片３６は、被覆い部２５に上方から重ねて接続される。なお、第一列パネル２の被覆い部２５と、第二列パネル３の覆い片３６との間には、パッキンやシーリングテープ等が介装されることが好ましい。
【００４４】
第一列パネル２と第二列パネル３とは、連結部２３と被連結部３３とを介して、接続される。連結部２３と被連結部３３とが接続されると、図１に示すように、凹没部３４内に折曲部２８が配置され、被当接部３５と当接部２４とがパッキン２４１を介して当接し、被覆い部２５が覆い片３６に重ねられて接続される。
【００４５】
このとき、第一接続部分２７は、第二接続部分３７に対して、サンドイッチパネル１の長さ方向に（具体的には、水上側に）ずれて位置している。つまり、第一接続部分２７の重ね接続部６は、第二接続部分３７の重ね接続部６とは重ならないように配置されている。
【００４６】
この点について従来の屋根構造は、図８（ａ）に示すように、第一接続部分２７のすぐ隣に第二接続部分３７が配置された構造となっている。従来の屋根構造では、第一接続部分２７で、第１のパネル２１の表面板１１と、第２のパネル２２の表面板１１とが重なり、第二接続部分３７で、第３のパネル３１の覆い片３６と、第４のパネル３２の覆い片３６とが重なる。このため、図８（ｂ）に示すように、計４枚の表面板１１が重なり合ってしまう。
【００４７】
これに対し、本実施形態の屋根構造のように、第一接続部分２７が、第二接続部分３７に対して、サンドイッチパネル１の長さ方向にずれて配置されると、第一接続部分２７に、第３のパネル３１の表面板１１または第４のパネル３２の表面板１１のいずれかのみが重ねられるため、図７に示すように、計３枚の表面板１１の重なりとすることができる。
【００４８】
これにより、重なり合う金属板の枚数を極力減らすことができ、熟練した施工者でなくても、止水性を確保した施工を行なうことができる。
【００４９】
上記のように、第一列パネル２と第二列パネル３とが、屋根勾配方向とは直角な方向に（つまり、サンドイッチパネルの幅方向に）接続されるが、これに次いで、第二列パネル３と第三列パネル４とも同じように接続される。
【００５０】
第三列パネル４の接続部分（第三接続部分４０）は、上記のように、第二列パネル３の第二接続部分３７に対して、サンドイッチパネル１の長さ方向にずれて位置している。具体的に、第三接続部分４０は、屋根勾配方向に直角な方向にみて、第一接続部分２７と同位置に配置されている。言い換えると、平面視において、第一接続部分２７と第二接続部分３７と第三接続部分４０とは、千鳥状に配置される。
【００５１】
この場合、屋根下地８は、図６に示すように配置される。屋根下地８として、第１のパネル２１の水上側の端部の下方に配置された第一横架材８２と（図６（ｃ）参照）、第２のパネル２２の芯材１３の水下側の端部の下方に配置された第二横架材８３と（図６（ｃ）参照）、第４のパネル３２の芯材１３の水下側の端部の下方とに配置された第三横架材８４と（図６（ｂ）参照）が設けられている。
【００５２】
第一横架材８２は、主に第１のパネル２１の水上側の端部を支持する。第二横架材８３は、主に第２のパネル２２の水下側の端部と、第３のパネル３１の水上側の端部とを支持する。第三横架材８４は、主に第４のパネル３２の水下側の端部を支持する。
【００５３】
このように屋根下地８を配置することで、屋根下地８の数量を最小限にしながら屋根用のサンドイッチパネル１を効果的に支持することができる。
【００５４】
以上説明したように、本実施形態の屋根用パネルの接続構造は、サンドイッチパネル１の長さ方向の接続部分２７が、幅方向に隣接する他のサンドイッチパネル１の長さ方向の接続部分３７に対して、長さ方向にずれた位置に配置されている。
【００５５】
このため、本実施形態の屋根用パネルの接続構造によれば、サンドイッチパネル１の接続部分２７において、金属板同士を重ねて接続する構造を採用した場合であっても、表面板１１同士が重なる枚数を極力減らすことができる。これにより、熟練した施工者でなくても、止水性を確保してサンドイッチパネル１の施工を行なうことができる。
【００５６】
また、本実施形態の屋根用パネルの接続構造は、第一接続部分２７と第二接続部分３７とが、直線状に並ばずに千鳥状に配置される。このため、従来のように第一接続部分２７と第二接続部分３７とが直線状に並設されたものに比べて、多少の施工誤差が生じた場合であっても、見栄えの低下を抑制することができる。
【００５７】
また、本実施形態のサンドイッチパネル１の幅方向の接続部分は、一方のサンドイッチパネル１に設けられた被覆い部２５と、そのサンドイッチパネル１の幅方向に隣接するサンドイッチパネル１に設けられた覆い片３６とにより構成されている。覆い片３６は、被覆い部２５に重ねて接続される。また、サンドイッチパネル１の長さ方向の接続部分２７，３７は、サンドイッチパネル１の長さ方向の一方の端部に設けられた接続部５と、そのサンドイッチパネル１の長さ方向に隣接するサンドイッチパネル１に設けられた重ね接続部６とにより構成されている。重ね接続部６は、サンドイッチパネル１の端部の裏面部の一部が切除されると共に、その表面板１１が接続部５に重ねて接続される。そして、複数のサンドイッチパネル１が長さ方向と幅方向とに接続されても、幅方向に隣接するサンドイッチパネル１の重ね接続部６同士が重ならないように接続されている。
【００５８】
このため、サンドイッチパネル１同士を長さ方向に接続するために、金属板同士が馴染むように裏面部の一部を切除した施工方法においても、金属板同士の重なり枚数を極力少なくすることができる。
【００５９】
なお、本実施形態の屋根用パネルの接続構造は、縦葺き屋根の構造に基づいて説明したが、本発明においては、横葺き屋根構造に適用してもよい。また、サンドイッチパネル１の施工手順については、本実施形態のものに限定されない。
【符号の説明】
【００６０】
１      サンドイッチパネル
１１    表面板
１２    裏面板
１３    芯材
１４    山部
２      第一列パネル
２１    第１のパネル
２２    第２のパネル
２３    連結部
２４    当接部
２５    被覆い部
２６    第一端部
２７    第一接続部分
２８    折曲部
３      第二列パネル
３１    第３のパネル
３２    第４のパネル
３３    被連結部
３４    凹没部
３５    被当接部
３６    覆い片
３７    第二接続部分
３８    第二端部
４      第三列パネル
４０    第三接続部分
５      接続部
６      重ね接続部
７      塞ぎ板材
７１    固定部
７２    塞ぎ部
７３    水上側固定部
７４    水下側固定部
８      屋根下地
８１    母屋
【図１】
2014201996.tif 000003
【図２】
2014201996.tif 000004
【図３】
2014201996.tif 000005
【図４】
2014201996.tif 000006
【図５】
2014201996.tif 000007
【図６】
2014201996.tif 000008
【図７】
2014201996.tif 000009
【図８】
2014201996.tif 000010